(57)【特許請求の範囲】
【請求項１】
気流の通路を形成し、前記通路の横断面に開口面を区画する筐体と、
前記筐体に支持されて、二次元面内で第１区画に粗塵用フィルタを有し、前記二次元面内で第１区画に相違する第２区画に空気清浄フィルタを有するエアフィルタと、
前記開口面に空気清浄フィルタを配置する第１位置、および、前記開口面から少なくとも部分的に空気清浄フィルタをずらして前記空気清浄フィルタに代えて前記粗塵用フィルタを配置する第２位置との間でエアフィルタを駆動する駆動部材と
を備えることを特徴とする空気調和機。
【請求項２】
請求項１に記載の空気調和機において、前記第２位置の前記空気清浄フィルタを塞ぐフィルタ清掃ユニットをさらに備えることを特徴とする空気調和機。
【請求項３】
請求項１または２に記載の空気調和機において、
二次元面内に第１区画および第２区画を規定するフレームと、
前記フレームの前記第１区画に配置されて前記フレームに支持される粗塵用フィルタと、
前記フレームの前記第２区画に配置されて前記フレームに支持される空気清浄フィルタと
を備えることを特徴とする空気調和機用エアフィルタ。
【発明の詳細な説明】
【技術分野】
【０００１】
本発明は空気調和機等に関する。
【背景技術】
【０００２】
特許文献１に開示されるように、空気清浄機は一般に知られる。空気清浄機は空気清浄フィルタを備える。空気清浄フィルタは例えばＨＥＰＡフィルタで構成される。ＨＥＰＡフィルタは花粉やＰＭ２．５といった微粒子を捕獲する。一般に空気調和機で使用される粗塵用フィルタに比べてＨＥＰＡフィルタの通風抵抗は著しく大きい。
【先行技術文献】
【特許文献】
【０００３】
【特許文献１】特開２０１５−０２３９６８号公報
【発明の概要】
【発明が解決しようとする課題】
【０００４】
一般の冷房動作や暖房動作に加えて空気調和機に空気清浄機能の搭載が望まれる。空気調和機のエアフィルタに空気清浄フィルタが用いられると、通風抵抗が大きすぎ、空気調和機の冷房能力および暖房能力は著しく低下してしまう。特に、一般的に空気調和機で用いられるクロスフローファンは通風抵抗の増大に弱く、送風能力が著しく低下してしまう。
【０００５】
本発明のいくつかの態様によれば、通風抵抗の増加を抑制しつつ気流の清浄度を高めることができる空気調和機は提供されることができる。
【課題を解決するための手段】
【０００６】
本発明の一形態は、気流の通路を形成し、前記通路の横断面に開口面を区画する筐体と、前記筐体に支持されて、二次元面内で第１区画に粗塵用フィルタを有し、前記二次元面内で第１区画に相違する第２区画に空気清浄フィルタを有するエアフィルタと、前記開口面に空気清浄フィルタを配置する第１位置、および、前記開口面から少なくとも部分的に空気清浄フィルタをずらして前記空気清浄フィルタに代えて前記粗塵用フィルタを配置する第２位置との間でエアフィルタを駆動する駆動部材とを備える空気調和機に関する。
【０００７】
開口面に空気清浄フィルタが位置すると、気流は空気清浄フィルタを通過する。気流に含まれる花粉やＰＭ２．５といった微粒子は空気清浄フィルタで捕獲される。こうして空気調和機で空気清浄機能は実現される。開口面から空気清浄フィルタがずらされると、開口面には粗塵用フィルタが位置する。粗塵用フィルタは一般の空気調和機向けエアフィルタとして機能する。通風抵抗の増大は回避される。必要なときにだけ空気清浄機能が実現されることで、空気調和機は通風抵抗の増加を抑制しつつ気流の清浄度を高めることができる。
【０００８】
空気調和機では前記粗塵用フィルタはメッシュシートで形成されてもよい。空気清浄フィルタはＨＥＰＡフィルタまたはＭＥＰＡフィルタから形成されればよい。その一方で、空気清浄フィルタは不織布から形成されてもよい。空気調和機は、前記第２位置の前記空気清浄フィルタを塞ぐフィルタ清掃ユニットをさらに備えてもよい。
【０００９】
以上のような空気調和機の実現にあたって、空気調和機用エアフィルタは、二次元面内に第１区画および第２区画を規定するフレームと、前記フレームの前記第１区画に配置されて前記フレームに支持される粗塵用フィルタと、前記フレームの前記第２区画に配置されて前記フレームに支持される空気清浄フィルタとを備えればよい。
【発明の効果】
【００１０】
以上のように開示の空気調和機によれば、通風抵抗の増加を抑制しつつ気流の清浄度を高めることができる。
【図面の簡単な説明】
【００１１】
【図１】本発明の一実施形態に係る空気調和機の構成を概略的に示す概念図である。
【図２】一実施形態に係る室内機の外観を概略的に示す斜視図である。
【図３】室内機の本体の構成を概略的に示す斜視図である。
【図４】室内機の構造を概略的に示す分解斜視図である。
【図５】本体内の構造を概略的に示す部分斜視図である。
【図６】エアフィルタの構造を概略的に示す拡大斜視図である。
【図７】室内機の本体の拡大垂直断面図である。
【図８】図７に対応し、エアフィルタが第１位置に位置する室内機の本体の拡大垂直断面図である。
【図９】図７に対応し、エアフィルタが第２位置に位置する室内機の本体の拡大垂直断面図である。
【図１０】他の実施形態に係るエアフィルタの構造を概略的に示す拡大斜視図である。
【発明を実施するための形態】
【００１２】
以下、添付図面を参照しつつ本発明の一実施形態を説明する。
【００１３】
（１）空気調和機の構成
図１は本発明の一実施形態に係る空気調和機１１の構成を概略的に示す。空気調和機１１は室内機１２および室外機１３を備える。室内機１２は例えば建物内の室内空間に設置される。その他、室内機１２は室内空間に相当する空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。
【００１４】
冷凍回路１９は第１循環経路２１を備える。第１循環経路２１は四方弁１８の第１口１８ａおよび第２口１８ｂを相互に結ぶ。第１循環経路２１には、圧縮機１５が設けられている。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂからガス冷媒は四方弁１８の第２口１８ｂに供給される。冷媒配管は例えば銅管であればよい。
【００１５】
冷凍回路１９は第２循環経路２２をさらに備える。第２循環経路２２は四方弁１８の第３口１８ｃおよび第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱エネルギーの交換をする。室内熱交換器１４は、通過する冷媒と周囲の空気との間で熱エネルギーの交換をする。第２循環経路２２は例えば銅管などの冷媒配管で形成されればよい。
【００１６】
室外機１３には送風ファン２３が組み込まれる。送風ファン２３は室外熱交換器１６に通風する。送風ファン２３は例えば羽根車の回転に応じて気流を生成する。気流は室外熱交換器１６を通り抜ける。通り抜ける気流の流量は羽根車の回転数に応じて調整される。
【００１７】
室内機１２には送風ファン２４が組み込まれる。送風ファン２４は室内熱交換器１４に通風する。送風ファン２４は羽根車の回転に応じて気流を生成する。送風ファン２４の働きで室内機１２には室内空気が吸い込まれる。室内空気は室内熱交換器１４を通り抜け冷媒と熱交換する。熱交換された冷気または暖気の気流は室内機１２から吹き出される。通り抜ける気流の流量は羽根車の回転数に応じて調整される。
【００１８】
冷凍回路１９で冷房運転が実施される場合には、四方弁１８は第２口１８ｂおよび第３口１８ｃを相互に接続し第１口１８ａおよび第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流通する。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は送風ファン２４の働きで室内空間に吹き出される。
【００１９】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換器１４では冷媒から周囲の空気に放熱する。暖気が生成される。暖気は送風ファン２４の働きで室内空間に吹き出される。膨張弁１７で冷媒は低圧まで減圧される。減圧された冷媒は室外熱交換器１６で周囲の空気から吸熱する。その後、冷媒は圧縮機１５に戻る。
【００２０】
（２）室内機の構成
図２は一実施形態に係る室内機１２の外観を概略的に示す。室内機１２は本体２５を備える。本体２５に室内熱交換器１４が支持される。本体２５の正面（前面）にはアウターパネル２６が覆い被さる。
【００２１】
本体２５の底板２７には吹出口２８が形成される。吹出口２８は室内に向けて開口される。本体２５は背面で例えば室内の壁面に固定されることができる。吹出口２８は、室内熱交換器１４で生成される冷気または暖気の気流を吹き出す。
【００２２】
吹出口２８には前後１対の上下風向板２９ａ、２９ｂが配置される。上下風向板２９ａ、２９ｂはそれぞれ水平軸線３１ａ、３１ｂ回りに回転することができる。回転に応じて上下風向板２９ａ、２９ｂは吹出口２８を開閉することができる。上下風向板２９ａ、２９ｂの角度に応じて、吹き出される気流の方向は変えられる。
【００２３】
図３に示されるように、本体２５の天板３２には吸込口３３が形成される。室内熱交換器１４に流入する空気は吸込口３３から取り込まれる。本体２５には天板３２の下方で室内熱交換器１４の前方に複数のエアフィルタアセンブリ３４が着脱自在に装着される。エアフィルタアセンブリ３４は水平軸線３１ａ、３１ｂの軸方向に横並びに並べられる。個々のエアフィルタアセンブリ３４はエアフィルタ３５およびフィルタ清掃ユニット３６を備える。エアフィルタ３５はフィルタ清掃ユニット３６上に支持され保持される。フィルタ清掃ユニット３６は支持枠３７で本体２５に固定される。支持枠３７が本体２５の定位置に装着されると、エアフィルタ３５は室内熱交換器１４の収容空間と吸込口３３に接する空間とに本体２５内の空間を分割する。吸込口３３側の空間の空気はエアフィルタ３５を通過して室内熱交換器１４の収容空間に進入する。
【００２４】
支持枠３７には前側フィルタレール３８が形成される。前側フィルタレール３８はエアフィルタ３５の左右両側に相互に平行に延びる。前側フィルタレール３８の延長線上で本体２５には左右の後側フィルタレール３９が形成される。後側フィルタレール３９はエアフィルタ３５の左右両側に相互に平行に延びる。エアフィルタ３５は左右両側でスライド自在にフィルタレール３８、３９に保持される。フィルタレール３８、３９は水平軸線３１ａ、３１ｂに直交する垂直面に沿って形成される。フィルタレール３８、３９はエアフィルタ３５の前後移動を案内する。こうしてエアフィルタ３５の移動経路は規定される。
【００２５】
本体２５の底板２７上で最も前方（設置時に壁面から最も遠い位置）には電装品箱４１が配置される。電装品箱４１の後方で底板２７上に室内熱交換器１４は支持される。電装品箱４１の筐体は例えば水平軸線３１ａ、３１ｂの軸方向に２つのエアフィルタアセンブリ３４にまたがって配置される。電装品箱４１には電装品が収容される。電装品は室内機１２の動作を制御する。
【００２６】
図４に示されるように、個々のフィルタ清掃ユニット３６は上ダストボックス４２および下ダストボックス４３を備える。上ダストボックス４２および下ダストボックス４３は支持枠３７を形成する。上ダストボックス４２および下ダストボックス４３は前後に配置されて相互に重ねられる。上ダストボックス４２および下ダストボックス４３の間にエアフィルタ３５が配置される。エアフィルタ３５の清掃時、概ねエアフィルタ３５の前面の塵埃は上ダストボックス４２のボックス本体４５に回収され、エアフィルタ３５の後面の塵埃は下ダストボックス４３に回収される。
【００２７】
フィルタ清掃ユニット３６は第１従動ギア４６および第２従動ギア４７を備える。第１従動ギア４６は上ダストボックス４２に取り付けられる。第１従動ギア４６は水平軸４８回りで回転する。第１従動ギア４６は、上ダストボックス４２内の後述する清掃ブラシを回転駆動する。第１従動ギア４６の歯は上ダストボックス４２の外面から部分的に露出する。同様に、第２従動ギア４７は下ダストボックス４３に取り付けられる。第２従動ギア４７は水平軸４９回りで回転する。第２従動ギア４７は、下ダストボックス４３の両端に配置されエアフィルタ３５を駆動する。第２従動ギア４７の歯は下ダストボックス４３の外面から部分的に露出する。エアフィルタアセンブリ３４が本体２５にセットされると、第１従動ギア４６は本体２５に搭載の第１駆動ギア（図示されず）に噛み合い、同様に第２従動ギア４７は本体２５に搭載の第２駆動ギア（図示されず）に噛み合う。個々の駆動ギアには個別に電動モータといった駆動源（図示されず）が連結される。個々の駆動源から供給される駆動力に応じて第１従動ギア４６および第２従動ギア４７は個別に回転する。
【００２８】
本体２５にはエアフィルタアセンブリ３４の定位置を規定する構造が形成される。こうした構造は、エアフィルタアセンブリ３４の左右両側で物理的な垂直面５３を規定する壁や、当該垂直面５３から突き出て前後方向にエアフィルタアセンブリ３４の位置決めを担う突き当て面５４を規定する突片で構成されればよい。壁の垂直面５３は例えば水平軸線３１ａ、３１ｂに直交すればよく、突き当て面５４は水平軸線３１ａ、３１ｂに平行な垂直面で構成されればよい。本体２５およびエアフィルタアセンブリ３４の間には、エアフィルタアセンブリ３４が定位置に装着された際に弾性力でエアフィルタアセンブリ３４に係り合って定位置にエアフィルタアセンブリ３４を保持する機構が構成されてもよい。こうした機構は定位置でエアフィルタアセンブリ３４のがたつきを防止することができる。
【００２９】
図５に示されるように、本体２５には送風ファン２４が回転自在に支持される。送風ファン２４には例えばクロスフローファンが用いられる。送風ファン２４は水平軸線３１ａ、３１ｂに平行な回転軸５８回りで回転する。送風ファン２４の回転軸５８は本体２５の設置時に水平方向に延びる。送風ファン２４は吹出口２８に平行に配置される。送風ファン２４には駆動源（図示せず）から回転軸５８回りの駆動力が伝達される。駆動源は本体２５に支持される。送風ファン２４の回転に応じて気流は室内熱交換器１４を通過する。その結果、冷気または暖気の気流が生成される。冷気または暖気の気流は吹出口２８から吹き出される。
【００３０】
室内熱交換器１４は前側体１４ａおよび後側体１４ｂを備える。前側体１４ａは送風ファン２４の前側から送風ファン２４に向き合わせられる。後側体１４ｂは送風ファン２４の後側から送風ファン２４に向き合わせられる。前側体１４ａおよび後側体１４ｂは上端で相互に連結される。前側体１４ａおよび後側体１４ｂは冷媒管５９ａを有する。冷媒管５９ａは水平方向に往復する。すなわち、冷媒管５９ａは、水平軸線３１ａ、３１ｂに平行に延び、本体２５の正面視左右端で折り返され、再び水平軸線３１ａ、３１ｂに平行に延び、再び本体２５の正面視左右端で折り返され、これらが繰り返される。冷媒管５９ａは第２循環経路２２の一部を構成する。冷媒管５９ａには複数の放熱フィン９２ｂが結合される。放熱フィン９２ｂは水平軸線３１ａ、３１ｂに直交しつつ相互に平行に広がる。冷媒管５９ａおよび放熱フィン９２ｂは例えば銅やアルミといった金属材料から形成されることができる。冷媒管５９ａおよび放熱フィン９２ｂを通じて冷媒と空気との間で熱交換が実現される。
【００３１】
図６に示されるように、エアフィルタ３５はフレーム６１を備える。フレーム６１にはｘ座標軸およびｙ座標軸の二次元面内で第１区画６２ａおよび第２区画６２ｂが規定される。ｘ座標軸は水平軸線３２ａ、３２ｂに平行に水平面内で規定される方向に相当する。ｙ座標軸は水平軸線３２ａ、３２ｂに直交する垂直面内で規定される方向に相当する。第１区画６２ａおよび第２区画６２ｂはｙ座標軸の方向に並べられｘ座標軸の方向にフレーム６１の全長にわたって広がる。第１区画６２ａおよび第２区画６２ｂはそれぞれフレーム６１で仕切られればよい。フレーム６１は樹脂材料（例えばポリプロピレン）から形成される。
【００３２】
フレーム６１の第１区画６２ａには粗塵用フィルタ６３が配置される。粗塵用フィルタ６３はメッシュシートで形成される。メッシュシートは例えばポリエチレンテレフタラートの繊維（樹脂繊維）を格子状に組み合わせて構成される。メッシュシートはフレーム６１に支持される。フレーム６１はメッシュシートの形状を保持する機能を有する。
【００３３】
フレーム６１の第２区画６２ｂには空気清浄フィルタ６５が配置される。空気清浄フィルタ６５は例えば不織布から形成される。空気清浄フィルタ６５は例えばＨＥＰＡフィルタまたはＭＥＰＡフィルタを構成すればよい。空気清浄フィルタ６５は粗塵用フィルタ６３を通過する微粒子を捕獲することができる。ただし、空気清浄フィルタ６５の通風抵抗は粗塵用フィルタ６３のそれよりも大きい。
【００３４】
エアフィルタ３５のフレーム６１にはラック６６が形成される。ラック６６はｘ座標軸の両側でｙ座標軸方向に延びるフレーム６１に形成される。ラック６６は、下ダストボックス４３に収納されるピニオン（図示されず）に噛み合う。ピニオンは第２従動ギア４７に連結される。第２従動ギア４７の回転はピニオンに伝達される。こうして第２従動ギア４７の回転に応じて、エアフィルタ３５はフィルタレール３８、３９に沿って前後に移動する。上ダストボックス４２および下ダストボックス４３に対してエアフィルタ３５は相対的に移動する。
【００３５】
図７に示されるように、フィルタ清掃ユニット３６はピニオン（駆動部材）６７を備える。ピニオン６７は例えば下ダストボックス４３に回転自在に支持される。ピニオン６７の外周は、例えば支持枠３７に形成される押さえ板（案内部材）６８の湾曲面に所定の間隔で向き合わせられる。湾曲面はピニオン６７の回転軸に平行な母線で形成される。エアフィルタ３５がフィルタ清掃ユニット３６に装着されると、フレーム６１およびラック６６はピニオン６７の外周と押さえ板６８の湾曲面とに挟まれる。こうしてラック６６はピニオン６７に噛み合う。押さえ板６８はピニオン６７からラック６６の離脱を防止する。ピニオン６７および押さえ板６８でエアフィルタ３５の移動は案内される。
【００３６】
ピニオン６７は第２従動ギア４７に連結される。第２従動ギア４７の回転はピニオン６７に伝達される。ピニオン６７の回転はピニオン６７の接線方向にラック６６の移動を引き起こす。こうして第２従動ギア４７の回転に応じて水平軸線３１ａ、３１ｂに直交する垂直面に沿った方向に上ダストボックス４２および下ダストボックス４３に対してエアフィルタ３５の相対移動は実現される。
【００３７】
フィルタ清掃ユニット３６は清掃ブラシ６９を備える。清掃ブラシ６９はブラシ台座７１およびブラシ毛７２を備える。ブラシ台座７１は第１従動ギア４６からの駆動力により水平軸７３回りに回転することができる。ブラシ毛７２はブラシ台座７１の円筒面上に所定の中心角範囲にわたって配置される。ブラシ毛７２の植毛範囲はブラシ台座７１の軸方向にエアフィルタ３５を横切る広がりを有する。清掃ブラシ６９は所定の回転位置でブラシ毛７２をエアフィルタ３５に接触させ当該回転位置以外ではブラシ毛７２をエアフィルタ３５から離脱させる。ブラシ毛７２がエアフィルタ３５に接触した状態でフィルタレール３８、３９に沿ってエアフィルタ３５が移動すると、エアフィルタ３５の前面に付着した塵埃はブラシ毛７２に絡め捕られることができる。
【００３８】
フィルタ清掃ユニット３６はブラシ受け７４を備える。ブラシ受け７４は下ダストボックス４３内に収納される。ブラシ受け７４は支え面７５を有する。支え面７５は清掃ブラシ６９に向き合わせられる。ブラシ毛７２がエアフィルタ３５に接触する際に支え面７５はブラシ毛７２との間にエアフィルタ３５を挟み込む。その他、支え面７５にはブラシ毛が植毛されてもよい。
【００３９】
本体２５にはさらなるフィルタレール７７が区画される。フィルタレール７７は前側フィルタレール３８の下端に連続し下方に延びる。フィルタレール７７は例えば直線的な案内路７８を規定する。エアフィルタアセンブリ３４が本体２５に装着されると、支持枠３７の前側フィルタレール３８はフィルタレール７７の案内路７８に連続してエアフィルタ３５の移動経路を区画する。こうしてフィルタレール７７は移動経路の下限位置７９までエアフィルタ３５の下端の変位を案内する。ピニオン６７は下限位置７９に向かってエアフィルタ３５の移動を引き起こす駆動力をエアフィルタ３５に伝達する。
【００４０】
前側フィルタレール３８にはフィルタレール７７とピニオン６７との間で屈曲域３８ａが形成される。屈曲域３８ａは前下がりのフィルタレール３８と垂直方向のフィルタレール３８とを相互に接続する。屈曲域３８ａの下方ではフィルタレール７７に切れ目８１が形成される。切れ目８１の下方でエアフィルタ３５が拘束され、ピニオン６７が下方に向かってエアフィルタ３５を駆動し続けると、切れ目８１からエアフィルタ３５は前方に張り出す。
【００４１】
本体２５内では吸込口３３から吹出口２８に向かって気流の通路８２が形成される。通路８２内に室内熱交換器１４は配置される。室内熱交換器１４の上流には通路８２を横切る横断面８３（吸込口３３の上面後端側から前面下側）に沿ってエアフィルタ３５が配置される。横断面８３に開口面８４は区画される。フィルタ清掃ユニット３６のボックス本体４５は横断面８３で部分的に通路８２を塞ぐ。ボックス本体４５から吸込口３３の全面下側および上面後端側に開口面８４は広がる。ボックス本体４５は横断面８３に沿ってエアフィルタ３５に重なる。ボックス本体４５の陰でエアフィルタ３５の通気は妨げられる。
【００４２】
エアフィルタ３５は第１位置および第２位置の間で移動する。図８に示されるように、第１位置ではエアフィルタ３５の下端は下限位置７９に至る。エアフィルタ３５の空気清浄フィルタ６５はピニオン６７および押さえ板６８の下方で開口面８４に配置される。エアフィルタ３５の下側（前側）の第１区画６２ａは開口面８４から下方にずれる。こうして粗塵用フィルタ６３は部分的に電装品箱４１の背後に隠れる。粗塵用フィルタ６３は気流の通路８２から外れる。図９に示されるように、第２位置ではエアフィルタ３５の下端は開口面８４の下縁に位置決められる。エアフィルタ３５の下端は案内路７８に案内されて上方に移動する。空気清浄フィルタ６５はボックス本体４５の陰に隠れる。横断面８３に沿って空気清浄フィルタ６５は開口面８４から外れる。開口面８４には全域で粗塵用フィルタ６３が配置される。
【００４３】
図７に示すように、本体２５には制御回路８６が組み込まれる。制御回路８６は電装品の１つとして例えば電装品箱４１に収容されればよい。制御回路８６は第１駆動ギアや第２駆動ギアに連結される駆動源の動作を制御する。制御回路８６の働きで第２駆動ギアおよび第２従動ギア４７は回転する。第２従動ギア４７の回転はピニオン６７を駆動する。こうしてピニオン６７の回転に応じてエアフィルタ３５は第１位置と第２位置との間で移動する。ここでは、制御回路８６は空気清浄モードと空調優先モードとを確立することができる。制御回路８６が空気清浄モードを確立すると、エアフィルタ３５は第１位置に位置する。制御回路８６が空調優先モードを確立すると、エアフィルタ３５は第２位置に位置する。
【００４４】
（３）室内機の動作
通常の冷房運転時や暖房運転時に送風ファン２４が動作すると、本体２５内では吸込口３３から吹出口２８に向かって通路８２に沿って気流が生成される。吸込口３３から吸引された空気はエアフィルタ３５を通過して室内熱交換器１４を通過する。室内熱交換器１４は気流と冷媒との間で熱交換を実施する。冷房運転時には空気は室内熱交換器１４で冷却されて吹出口２８から吹き出される。暖房運転時には空気は室内熱交換器１４で暖められて吹出口２８から吹き出される。こうして冷気や暖気は生成される。
【００４５】
冷房運転時や暖房運転時、あるいはそれら以外の運転時であっても、制御回路８６が空気清浄モードを確立すると、エアフィルタ３５は第１位置に位置する。図８に示されるように、エアフィルタ３５の下端は下限位置７９に至る。空気清浄フィルタ６５は開口面８４に配置される。気流の一部は空気清浄フィルタ６５を通過する。空気清浄フィルタ６５は例えばＰＭ２．５や花粉やダニの死骸といった微粒子を捕獲する。こうして室内の空気は浄化される。空気調和機１１では空気清浄機能は実現される。
【００４６】
制御回路８６が空調優先モードを確立すると、エアフィルタ３５は第２位置に位置する。図９に示されるように、エアフィルタ３５の下端は開口面８４の縁まで上昇する。エアフィルタ３５の上端は室内熱交換器１４の背後に回り込む。空気清浄フィルタ６５は開口面８４から外れる。代わって開口面８４には粗塵用フィルタ６３が配置される。気流は粗塵用フィルタ６３を通過する。粗塵用フィルタ６３はメッシュシートのメッシュよりも大きい塵埃を捕獲する。こうして室内熱交換器１４に対して塵埃の付着は防止されることができる。粗塵用フィルタ６３は一般の空気調和機向けエアフィルタとして機能することから、通風抵抗の増大は回避される。制御回路８６は室内の空気の清浄度に応じて空気清浄モードと空調優先モードとを切り替えればよい。こうして必要なときにだけ空気清浄機能が実現されることで、空気調和機１１は通風抵抗の増加を抑制しつつ気流の清浄度を高めることができる。
【００４７】
エアフィルタ３５の清掃が行われる際にはフィルタ清掃ユニット３６が動作する。ブラシ台座７１の回転動作に応じて清掃ブラシ６９のブラシ毛７２はエアフィルタ３５の前面に接触する。このとき、メッシュシートはブラシ受け７４の支え面７５に受け止められる。メッシュシートはブラシ毛７２とブラシ受け７４との間に挟まれる。第１従動ギア４６が駆動されると、軌道上でメッシュシートの移動は引き起こされる。水平軸線３２ａ、３２ｂに直交する垂直面に沿った方向にブラシ毛７２およびブラシ受け７４に対してメッシュシートの相対移動は実現される。相対移動に応じてブラシ毛７２はメッシュシートの前面をなぞる。こうしてブラシ毛７２はメッシュシートの前面から大きな塵埃を絡め取る。絡め捕られた塵埃は上ダストボックス４２に回収される。
【００４８】
（４）他の実施形態に係る室内機
図１０は第２実施形態に係る室内機の構成を概略的に示す。この室内機ではエアフィルタ３５ａは帯体８７を備える。帯体８７は環状に形成される。図１０には正面から見てエアフィルタ３５ａの右端のみが描かれる。エアフィルタ３５ａは左端にも右端同様に帯体８７を備える。帯体８７がｘ座標軸およびｙ座標軸の二次元面内に展開されると、左右１対の帯体８７の間に第１区画８９ａおよび第２区画８９ｂは規定される。ｘ座標軸は水平軸線３２ａ、３２ｂに平行に規定される方向に相当する。ｙ座標軸は水平軸線３２ａ、３２ｂに直交する垂直面内に規定される方向に相当する。第１区画８９ａおよび第２区画８９ｂはｙ座標軸の方向に並べられｘ座標軸の方向に帯体８７の間で全域にわたって広がる。第１区画８９ａおよび第２区画８９ｂはそれぞれフレーム９１で仕切られればよい。帯体８７およびフレーム９１は樹脂材料（例えばポリプロピレン）から形成される。
【００４９】
エアフィルタ３５ａの第１区画８９ａには粗塵用フィルタ９２が配置される。粗塵用フィルタ９２はメッシュシートで形成される。メッシュシートは例えばポリエチレンテレフタラートの繊維（樹脂繊維）を格子状に組み合わせて構成される。メッシュシートはフレーム９１に支持される。フレーム９１はメッシュシートの形状を保持する機能を有する。
【００５０】
エアフィルタ３５ａの第２区画８９ｂには空気清浄フィルタ９３が配置される。空気清浄フィルタ９３は例えば不織布から形成される。空気清浄フィルタ９３は例えばＨＥＰＡフィルタまたはＭＥＰＡフィルタを構成すればよい。空気清浄フィルタ９３は粗塵用フィルタ９２を通過する微粒子を捕獲することができる。ただし、空気清浄フィルタ９３の通風抵抗は粗塵用フィルタ９２のそれよりも大きい。
【００５１】
帯体８７はローラー軸９４および複数の支軸９５ａ、９５ｂに巻きかけられる。ローラー軸９４および支軸９５ａ、９５ｂはフィルタ清掃ユニット３６の支持枠３７に支持される。ローラー軸９４および支軸９５ａ、９５ｂの働きで粗塵用フィルタ９２および空気清浄フィルタ９３の形状が保持される。ローラー軸９４と最上端の支軸９５ａとの間でエアフィルタ３５ａは二重に重ねられる。帯体８７は例えば大きい摩擦力でローラー軸９４の円筒面に接触する。その結果、ローラー軸９４が回転すると、エアフィルタ３５ａはぐるぐると１つの軌道を移動することができる。エアフィルタ３５ａの軌道はローラー軸９４および支軸９５ａ、９５ｂで規定される。ローラー軸９４には前述の第１従動ギア４６が固定される。
【００５２】
前述と同様に、制御回路８６が空気清浄モードを確立すると、エアフィルタ３５ａは第１位置に位置する。空気清浄フィルタ９３は開口面８４に配置される。気流の一部は空気清浄フィルタ９３を通過する。空気清浄フィルタ９３は例えばＰＭ２．５や花粉やダニの死骸といった微粒子を捕獲する。こうして室内の空気は浄化される。空気調和機１１では空気清浄機能は実現される。
【００５３】
制御回路８６が空調優先モードを確立すると、エアフィルタ３５ａは第２位置に位置する。空気清浄フィルタ９３は開口面８４から外れる。ここでは、空気清浄フィルタ９３は電装品箱４１の陰に隠れる。代わって開口面８４には粗塵用フィルタ９２が配置される。気流は粗塵用フィルタ９２を通過する。粗塵用フィルタ９２はメッシュシートのメッシュよりも大きい塵埃を捕獲する。こうして室内熱交換器１４に対して塵埃の付着は防止されることができる。粗塵用フィルタ９２は一般の空気調和機向けエアフィルタとして機能することから、通風抵抗の増大は回避される。その他、空気清浄フィルタ９３は例えば開口面８４内であっても気流の流量の少ない領域に配置されればよい。
【００５４】
その他、エアフィルタ３５、３５ａは再熱除湿にあたって吹き出し気流の温度調整に用いられることができる。再熱除湿では室内熱交換器１４の前側体１４ａで空気が冷やされ除湿され、後側体１４ｂで空気が暖められる。空気清浄フィルタ６５、９３の配置に応じて後側体１４ｂに導入される気流の流量が調整されると、除湿された冷気に混ぜられる暖気の流量は調整されることができる。こうして再熱除湿にあたって吹き出し気流の温度は調整される。
【符号の説明】
【００５５】
１１  空気調和機、２５  筐体（本体）、３５  エアフィルタ、３６  フィルタ清掃ユニット、６１  フレーム、６２ａ  第１区画、６２ｂ  第２区画、６３  粗塵用フィルタ、６５  空気清浄フィルタ、６７  駆動部材（ピニオン）、８２  通路、８３  横断面、８４  開口面、８９ａ  第１区画、８９ｂ  第２区画、９１  フレーム、９２  粗塵用フィルタ、９３  空気清浄フィルタ。
【図１】
0006516094.tif 000002
【図２】
0006516094.tif 000003
【図３】
0006516094.tif 000004
【図４】
0006516094.tif 000005
【図５】
0006516094.tif 000006
【図６】
0006516094.tif 000007
【図７】
0006516094.tif 000008
【図８】
0006516094.tif 000009
【図９】
0006516094.tif 000010
【図１０】
0006516094.tif 000011